(57)【要約】【課題】積載スペースから資機材を容易に取り出せる展開式収納庫を提供する。【解決手段】救助工作車の側面に臨む積載スペース５３に備えられ、資機材を収納する棚体１を、積載スペース５３に格納した格納状態の位置と、積載スペース５３から引き出した展開状態の位置との間で移動可能とした展開式収納庫において、棚体１の縦枠と積載スペース５３の底側の枠部とを複数本の縦アーム２を介して回動する連結点で連結し、これらの連結点を結ぶ軸線を、平行かつ等長とすることにより、垂直方向の平行リンク機構を構成し、棚体１の向きが格納状態と展開状態とで変化せず、展開状態では、ストッパー機構として機能するダンバー３，４により格納状態よりも低い位置で棚体１が停止して縦アーム２で支持されるようにする。【選択図】図４
2015213598.tif 000002
【特許請求の範囲】
【請求項１】
救助工作車の側面に臨む積載スペース(53)に備えられ、資機材を収納する棚体(1)を、積載スペース(53)に格納した格納状態の位置と、積載スペース(53)から引き出した展開状態の位置との間で移動可能とした展開式収納庫において、
前記棚体(1)の縦枠と積載スペース(53)の枠部とを複数本の縦アーム(2)を介して連結することにより、垂直方向の平行リンク機構を構成し、
前記棚体(1)の向きが格納状態と展開状態とで変化せず、展開状態では、ストッパー機構により格納状態よりも低い位置で棚体(1)が停止して縦アーム(2)で支持されるようにしたことを特徴とする救助工作車の展開式収納庫。
【請求項２】
救助工作車の側面に臨む積載スペース(53)に備えられ、資機材を収納する棚体(11)を、積載スペース(53)に格納した格納状態の位置と、積載スペース(53)から引き出した展開状態の位置との間で移動可能とした展開式収納庫において、
前記棚体(11)の横枠と積載スペース(53)の枠部とを横アーム(12)及びリンクロッド(13)を介して連結することにより、水平方向の平行リンク機構を構成し、
前記棚体(11)の向き及び高さ方向の位置が格納状態と展開状態とで変化せず、展開状態では、棚体(11)が格納状態から一側方へ移動して横アーム(12)で支持されるようにしたことを特徴とする救助工作車の展開式収納庫。
【発明の詳細な説明】
【技術分野】
【０００１】
この発明は、災害や事故の被災者を救助するため、工具等の資機材を積載して現場へ向かう救助工作車において、積載スペースに装備される展開式収納庫に関するものである。
【背景技術】
【０００２】
各地の消防機関には、災害や事故の発生時、倒壊物や重量物を押し広げるスプレッダーやこれらを切断するカッター等の資機材を積載して現場へ急行する救助工作車が配備されている。このような救助工作車に係る発明として、下記特許文献１には、図１１に示すようなものが記載されている。
【０００３】
この救助工作車は、キャビン５１の後方に区画された荷台５２を備えており、荷台５２には、両側面に臨むように、積載スペース５３，５４，５５が前部から後部へかけて順次設けられている。また、荷台５２の幅方向中間部には、両側の積載スペース５３の奥に位置する積載スペース５６と、積載スペース５４，５５の奥に位置して前後に並ぶ積載スペース５７，５８とが設けられている。
【０００４】
積載スペース５３には、展開式の収納庫が備えられている。この収納庫は、使用頻度が高く比較的小さな資機材を収納する箱型の棚体６０を、積載スペース５３に格納した格納状態の位置と、積載スペース５３から引き出した展開状態の位置との間で移動可能としたものである。
【０００５】
棚体６０は、その一側部が上下方向に延びる支持軸６１により積載スペース５３の枠部に回動自在に軸支され、格納状態と展開状態とで、棚体６０の向きは約９０°変化し、高さ方向の位置は変化しないようになっている。
【０００６】
また、積載スペース５３の奥に位置する積載スペース５６には、棚体６０に収納できない比較的大きな資機材が収納され、この資機材を取り出す際には、棚体６０を展開状態とすることとされている。そのほか、荷台５２の中央部及び後部に位置する積載スペース５７，５８には、それぞれポンプ及び水のタンクが収納される。
【先行技術文献】
【特許文献】
【０００７】
【特許文献１】特許第４４８５８３２号公報
【発明の概要】
【発明が解決しようとする課題】
【０００８】
しかしながら、上記のような展開式の収納庫では、格納状態と展開状態とで棚体６０の高さ方向の位置が変わらないので、棚体６０に重い資機材を収納した場合、救助隊員がステップ等に乗らずに地面に立った状態で、棚体６０から資機材を取り出そうとすると、動作の負担が大きいという問題がある。
【０００９】
また、棚体６０を展開状態とすると、棚体６０の一側部が積載スペース５３の開口面の一部を塞ぐこととなるため、奥の積載スペース５６へのアクセススペースが制限され、積載スペース５６から資機材を取り出しにくいという問題がある。
【００１０】
そこで、この発明は、積載スペースから資機材を容易に取り出せる展開式収納庫を提供することを課題とする。
【課題を解決するための手段】
【００１１】
上記課題を解決するため、この発明は、救助工作車の側面に臨む積載スペースに備えられ、資機材を収納する棚体を、積載スペースに格納した格納状態の位置と、積載スペースから引き出した展開状態の位置との間で移動可能とした展開式収納庫において、次のような構成としたのである。
【００１２】
第１発明では、棚体の縦枠と積載スペースの枠部とを複数本の縦アームを介して連結することにより、垂直方向の平行リンク機構を構成し、棚体の向きが格納状態と展開状態とで変化せず、展開状態では、ストッパー機構により格納状態よりも低い位置で棚体が停止して縦アームで支持されるようにしたのである。
【００１３】
第２発明では、前記棚体の横枠と積載スペースの枠部とを横アーム及びリンクロッドを介して連結することにより、水平方向の平行リンク機構を構成し、棚体の向き及び高さ方向の位置が格納状態と展開状態とで変化せず、展開状態では、棚体が格納状態から一側方へ移動して横アームで支持されるようにしたのである。
【発明の効果】
【００１４】
上記第１発明に係る展開式収納庫では、棚体が展開状態で格納状態よりも低い位置に降下して支持されるので、救助隊員がステップ等に乗ることなく、腰や膝に負担がかからない姿勢で、棚体から資機材を取り出すことができる。そして、棚体に収納されたエンジンポンプを始動し、資機材に接続されたホースを繰り出して、即座に油圧救助器具等の資機材を使用した救助活動を行うことができる。
【００１５】
また、第２発明に係る展開式収納庫では、棚体が展開状態で格納状態から一側方へ移動して支持されるので、棚体を展開すると、奥の積載スペースへのアクセススペースが広く確保され、奥の積載スペースから資機材を容易に取り出すことができ、また、奥の積載スペースに資機材を容易に収納することができる。
【図面の簡単な説明】
【００１６】
【図１】救助工作車の外観斜視図
【図２】第１発明の実施形態に係る展開式収納庫の棚体格納状態を示す斜視図
【図３】同上の概略側面図
【図４】同上の棚体展開状態を示す斜視図
【図５】同上の概略側面図
【図６】同上の機材を取り出して使用場所へ運搬する過程を示す斜視図
【図７】第２発明の実施形態に係る展開式収納庫の棚体格納状態を示す斜視図
【図８】同上の概略平面図
【図９】同上の棚体展開状態を示す斜視図
【図１０】同上の概略平面図
【図１１】従来の展開式収納庫を備えた救助工作車の荷台レイアウトを示す平面図
【発明を実施するための形態】
【００１７】
図１に示す救助工作車は、キャビン５１の後方に区画された荷台５２を備えており、荷台５２の両側面に臨む積載スペース５３，５４の開口部には、その開閉手段として、シャッター６２及び下部に位置して垂直状態と水平状態との間で揺動するドアステップ６３が設けられている。ドアステップ６３は、水平状態では踏み台として使用できる。
【００１８】
図１に示すような形式の救助工作車に装備する展開式収納庫について、その第１発明の実施形態を図２〜図６に基づいて説明する。
【００１９】
この展開式収納庫は、救助工作車の左側面に臨む積載スペース５３に下方へ寄せて装備され、資機材を収納する棚体１を、図２及び図３に示すように、積載スペース５３に格納した格納状態の位置と、図４及び図５に示すように、積載スペース５３から引き出した展開状態の位置との間で移動可能としたものである。
【００２０】
上記のような移動を可能とするため、棚体１の両側の縦枠の高さ方向中間部に位置する桟と、積載スペース５３の底側の枠部の取付板５３ａとは、前後方向（積載スペース５３の奥行方向。以下同じ。）に並ぶ２本の縦アーム２を介して、その両端部の回動する連結点２ａ，２ｂで連結されている。
【００２１】
前後に並ぶ２本の縦アーム２の両端部の連結点２ａ，２ｂを結ぶ軸線２ｃは、平行かつ等長とされ、これにより垂直方向の平行リンク機構が構成されている。
【００２２】
後側の縦アーム２の上部と積載スペース５３の底側の枠部の取付板５３ａとは、ダンパー３を介して回動する連結点で連結されている。後側の縦アーム２の上部には、縦アーム２の軸線２ｃに対し直角をなして後方へ延びるブラケット４ａが設けられ、棚体１の縦枠の上後角部から回動自在に延びる短いリンクロッド４ｂの先端部とブラケット４ａの後端部とは、ダンパー４を介して回動する連結点で連結されている。
【００２３】
棚体１の前面両側部には取手５が設けられ、前側の縦アーム２の中間部には、棚体１を格納状態で固定するレバー式のロック機構６が設けられている。
【００２４】
このような展開式収納庫の棚体１には、油圧式のスプレッダー３１とカッター３２とが先端を下向きにして上側が若干後方に傾斜した状態で立て掛けるように収納され、その奥にエンジンポンプ３３が収納されている。
【００２５】
また、棚体１の一側部には、油圧機器用のホース３４ａを巻回したホースリール３４が上下２段に収納されている。このホース３４ａは、エンジンポンプ３３とスプレッダー３１及びカッター３２とに最初から接続しておく。
【００２６】
上記のように棚体１に収納された資機材を救助活動に使用する際には、積載スペース５３の開口部を開き、図２及び図３に示すように、格納状態の棚体１において、ロック機構６のレバー操作に伴い、棚体１の固定を解除し、積載スペース５３に格納された棚体１の固定を解除し、取手５を握って棚体１を手前に引っ張り、図４及び図５に示すように、棚体１を積載スペース５３から引き出して展開状態とする。
【００２７】
このような棚体１の移動操作に伴い、ダンパー３の伸長及びダンパー４の短縮の限界点で棚体１が停止し、ダンパー３，４がストッパー機構となって、棚体１が格納状態よりも低い位置に降下した状態で、縦アーム２により支持される。棚体１の向きは、格納状態と展開状態とで変化することはない。
【００２８】
そして、例えば、スプレッダー３１の使用に際しては、スプレッダー３１を棚体１に固定しているバンドを解除し（最初から固定していなくても可）、図６に示すように、スプレッダー３１を棚体１から取り出して、ホースリール３４からホース３４ａを繰り出しつつ、スプレッダー３１を救助現場に携行する。
【００２９】
上記のような展開式収納庫では、展開状態とした棚体１が格納状態よりも低い位置に降下して支持されるので、救助隊員がドアステップ６３等に乗ることなく、腰や膝に負担がかからない自然な姿勢で、棚体１からスプレッダー３１やカッター３２等の重量のある資機材を取り出すことができる。
【００３０】
そして、棚体１を展開状態とすることにより、エンジンポンプ３３の排気口が積載スペース５３の外側へ出るので、そのままの状態でエンジンポンプ３３のエンジンを始動し、ホースリール３４からホース３４ａを繰り出して、即座にスプレッダー３１やカッター３２等の油圧救助器具を使用した救助活動を行うことができる。
【００３１】
また、棚体１が展開状態でも救助工作車の荷台５２の側面から大きく張り出すことがないので、救助工作車を駐車した道路等の通行にほとんど支障を来たすことなく、資機材を出し入れすることができる。
【００３２】
次に、図１に示すような形式の救助工作車に装備する展開式収納庫について、その第２発明の実施形態を図７〜図１０に基づいて説明する。
【００３３】
この展開式収納庫は、救助工作車の右側面に臨む積載スペース５３に上方へ寄せて装備され、資機材を収納する棚体１１を、図７及び図８に示すように、積載スペース５３に格納した格納状態の位置と、図９及び図１０に示すように、積載スペース５３から引き出した展開状態の位置との間で移動可能としたものである。
【００３４】
上記のような移動を可能とするため、棚体１１の上側及び下側の横枠の中央部と積載スペース５３の一側部の取付板５３ｂとは、中間部で屈曲した幅広い板状の横アーム１２を介して回動する連結点１２ａ，１２ｂで連結され、棚体１１の下側の横枠の横アーム１２との連結点１２ａより他側寄り部分から後方へ延びるブラケット１４と積載スペース５３の奥の枠部から前方へ延びるブラケット５３ｃとは、リンクロッド１３を介して回動する連結点１３ａ，１３ｂで連結されている。
【００３５】
横アーム１２の両端部の連結点１２ａ，１２ｂを結ぶ軸線１２ｃと、リンクロッド１３の両端部の連結点１３ａ，１３ｂを結ぶ軸線１３ｃとは、平行かつ等長とされ、これにより水平方向の平行リンク機構が構成されている。
【００３６】
棚体１１の前面下部には、取手１５が設けられ、下側の横アーム１２の基部には、棚体１１を格納状態で固定するレバー式のロック機構１６が設けられている。
【００３７】
このような展開式収納庫の棚体１１には、油圧式の救助器具等に比較して軽いケーブルやローブ等が収納されている。
【００３８】
上記のような展開式収納庫において、積載スペース５３の奥に位置する積載スペース５６に収納された資機材を救助活動に使用する際には、積載スペース５３の開口部を開き、図７及び図８に示すように、格納状態の棚体１１において、ロック機構１６のレバー操作に伴い、棚体１１の固定を解除し、取手１５を握って棚体１１を手前に引っ張り、図９及び図１０に示すように、棚体１を積載スペース５３から引き出して展開状態とする。
【００３９】
このような棚体１１の移動操作に伴い、棚体１１の向き及び高さ方向の位置は、格納状態と展開状態とで変化せず、展開状態では、棚体１１が格納状態から一側方へ移動して横アーム１２で支持される。
【００４０】
上記のような展開式収納庫では、棚体１１が展開状態で格納状態から一側方へ移動して支持されるので、棚体１１を展開すると、奥の積載スペース５６へのアクセススペースが広く確保され、奥の積載スペース５６から資機材を容易に取り出すことができ、また、奥の積載スペース５６に資機材を容易に収納することができる。
【００４１】
また、棚体１１が展開状態でも救助工作車の荷台５２の側面から大きく張り出すことがないので、救助工作車を駐車した道路等の通行にほとんど支障を来たすことなく、資機材を出し入れすることができる。
【符号の説明】
【００４２】
１  棚体
２  縦アーム
２ａ，２ｂ  連結点
２ｃ  軸線
３，４  ダンパー
４ａ  ブラケット
４ｂ  リンクロッド
５  取手
６  ロック機構
１１  棚体
１２  横アーム
１２ａ，１２ｂ  連結点
１２ｃ  軸線
１３  リンクロッド
１３ａ，１３ｂ  連結点
１３ｃ  軸線
１４  ブラケット
１５  取手
１６  ロック機構
３１  スプレッダー
３２  カッター
３３  エンジンポンプ
３４  ホースリール
３４ａ  ホース
５１  キャビン
５２  荷台
５３，５４，５６  積載スペース
５３ａ，５３ｂ  取付板
５３ｃ  ブラケット
６２  シャッター
６３  ドアステップ
【図１】
2015213598.tif 000003
【図２】
2015213598.tif 000004
【図３】
2015213598.tif 000005
【図４】
2015213598.tif 000006
【図５】
2015213598.tif 000007
【図６】
2015213598.tif 000008
【図７】
2015213598.tif 000009
【図８】
2015213598.tif 000010
【図９】
2015213598.tif 000011
【図１０】
2015213598.tif 000012
【図１１】
2015213598.tif 000013